(57)【要約】【課題】  畑の表土に溝を形成する作溝器と、その溝に肥料ホッパーの肥料を供給する肥料供給ホースと、施肥した溝に種芋を１個づつ投下する種芋搬送コンベヤと、投下した種芋に覆土して溝を埋め戻す覆土板とを備えた種芋植付機において、植付け用の作溝と施肥とその肥料の覆土を小型で簡単な構造の装置で同時に行えるようにする。【解決手段】  種芋植付機の下部に高さ調整自在に取り付けた作溝器８は、畑土を左右へ押しのけて所定深さの溝を形成する略Ｖ字状の排土板８ｂと、肥料供給ホース７の下端と接続して排土板８ｂの内側から溝に肥料を散布する接続管８ｄと、排土板８ｂの左右後端に延設され押しのけた畑土の一部を溝側へ乗り越えさせて溝に散布された肥料Ａを浅く覆土する排土板８ｂより高さの低い延長片８ｃとで構成する。【選択図】  図２
2010213584.tif 000002
【特許請求の範囲】
【請求項１】
畑を走行する農作業機の機体に、前端が鋭利となった平面視が略Ｖ字状の排土板によって畑表土に溝を形成する作溝器と、畑に施用する肥料を貯える肥料ホッパーと、同肥料ホッパーの肥料を畑に散布する肥料供給ホースと、同肥料供給ホース下端及び作溝器の後方位置に作溝された溝を覆土する覆土板とを備えた施肥できる農作業機に於いて、
前記作溝器は、略Ｖ字状の排土板の内側空間に肥料が落下するように前記肥料供給ホース下端を排土板に取り付けたことを特徴とする施肥できる農作業機。
【請求項２】
作溝器の排土板の左右後端に高さが低い延長片を形成した、請求項１記載の施肥できる農作業機。
【請求項３】
排土板の内側に肥料供給ホースの下端から供給された肥料を排土板の前端直近の内側位置から畑の溝の上へ落下するように誘導するシュートを排土板の内側下部に設けた、請求項１又は２記載の施肥できる農作業機。
【請求項４】
作溝器を機体に対して高さ調整可能に取り付けた、請求項１〜３何れか記載の施肥できる農作業機。
【請求項５】
請求項１〜４何れか記載の施肥できる農作業機において、機体に種芋・種子・球根・苗等の植物の植付物を貯える貯部を設け、同貯部の植付物を機体の作溝器と覆土板との間の溝中へ落下させる植付物供給投下装置を備え、植付物を畑に植え付けるとともに植え付けられた植付物の下方に肥料を施肥できる農作業機。
【請求項６】
前端が鋭利となった平面視が略Ｖ字状の排土板の左右後端に高さが低い延長片を形成し、同排土板の側面上部に外側開口縁を肥料供給ホースの下端との接続部とし内側開口は排土板の内側空間に臨んでいる接続管を取り付けた作溝器。
【発明の詳細な説明】
【技術分野】
【０００１】
本発明は、畑に狭い幅で且つ所定深さに肥料を施肥することができる農作業機に関する。他の農作業機能を有する農作業機に組み込んで施肥もできるようにできるものであり、特に芋類・種子・球根・苗等の植付物の植付機に実施すれば、植え付けた植付物の下層に施肥できる技術である。
【背景技術】
【０００２】
従来の施肥播種機が特許文献１で開示されている。この技術は、畑の畝を耕耘する耕耘爪と、耕耘した畝に肥料を落下する施肥管と、落下した肥料を覆土して均す土均体と、均した覆土に溝を形成する作溝体と、形成した溝に種子を落下する播種管と、落下した種子を覆土して溝を埋め戻す覆土体とを走行機体の前側より順に備えていることを特徴としている。
【０００３】
また、従来の施肥装置が特許文献２に開示されている。この技術は、畑の畝を耕耘する耕耘爪と、耕耘した畝に溝を形成する作溝板と、形成した溝に肥料を落下する施肥ノズルと、落下した肥料を覆土して溝を埋め戻す畝成形板とを走行機体の前側より順に備えていることを特徴としている。
【０００４】
これらの技術は、肥料を深層の局所に施肥し、その上層に種子を植え付けることで、下方へ伸長する根の肥料吸収率を高めて生育を良好にするとともに、施肥の位置を限定して肥料の使用量を削減できるようにしたものである。ところで、前記の技術では、植付け用の作溝と施肥とその肥料の覆土を行う装置がそれぞれ独立して設けられており、構造が複雑で大型化高コスト化する問題があった。
【先行技術文献】
【特許文献】
【０００５】
【特許文献１】特開平１０−３２７６１４号公報
【特許文献２】特開２００６−２３０２９３号公報
【発明の概要】
【発明が解決しようとする課題】
【０００６】
本発明が解決しようとする課題は、従来のこれらの問題点を解消し、低コストの簡単な構造でもって、肥料を畑の狭い幅で限定的にしかも所定の深さに施肥でき、又、植付機に実施すれば植え付けると同時に植付する植付物の下層に施肥でき、肥料を吸収効率よく施肥できるようにでき、植付けと施肥を効果的に行える農作業機を提供することにある。
【課題を解決するための手段】
【０００７】
かかる課題を解決した本発明の構成は、
１）  畑を走行する農作業機の機体に、前端が鋭利となった平面視が略Ｖ字状の排土板によって畑表土に溝を形成する作溝器と、畑に施用する肥料を貯える肥料ホッパーと、同肥料ホッパーの肥料を畑に散布する肥料供給ホースと、同肥料供給ホース下端及び作溝器の後方位置に作溝された溝を覆土する覆土板とを備えた施肥できる農作業機に於いて、
前記作溝器は、略Ｖ字状の排土板の内側空間に肥料が落下するように前記肥料供給ホース下端を排土板に取り付けたことを特徴とする施肥できる農作業機
２）  作溝器の排土板の左右後端に高さが低い延長片を形成した、前記１）記載の施肥できる農作業機
３）  排土板の内側に肥料供給ホースの下端から供給された肥料を排土板の前端直近の内側位置から畑の溝の上へ落下するように誘導するシュートを排土板の内側下部に設けた、前記１）又は２）記載の施肥できる農作業機
４）  作溝器を機体に対して高さ調整可能に取り付けた、前記１）〜３）何れか記載の施肥できる農作業機
５）  前記１）〜４）何れか記載の施肥できる農作業機において、機体に種芋・種子・球根・苗等の植物の植付物を貯える貯部を設け、同貯部の植付物を機体の作溝器と覆土板との間の溝中へ落下させる植付物供給投下装置を備え、植付物を畑に植え付けるとともに植え付けられた植付物の下方に肥料を施肥できる農作業機
６）  前端が鋭利となった平面視が略Ｖ字状の排土板の左右後端に高さが低い延長片を形成し、同排土板の側面上部に外側開口縁を肥料供給ホースの下端との接続部とし内側開口は排土板の内側空間に臨んでいる接続管を取り付けた作溝器
にある。
【発明の効果】
【０００８】
本発明によれば、農作業機を走行させると、作溝器の略Ｖ字状の排土板が畑の表土を左右へ押しのけることで所定深さの溝が形成され、続いて肥料供給ホースの下端から肥料が作溝器の内側空間に落下し、前記の溝に散布され、その後方の覆土板で肥料が散布された溝は畑の表土で埋められる。覆土板の前に植付物供給投下装置があれば、溝中へ植付物が投下され、覆土板で覆土して植え付けられていく。このように、作溝と施肥が作溝器で同時に効果的に行え、従来技術と比較して簡易な構造で済み、小型化低コスト化を図ることができる。
又、作溝器の高さの調整で肥料は畑表土の所要の深さに施用できる。しかもその左右幅は作溝器の幅であり、所定の狭い幅のみに施肥できる。更に植付物の下層に施肥でき、植付物の肥料吸収率が高くでき、少ない肥料で効率的に育成できる。
作溝器の排土板の左右後端に高さが低い延長片を形成したものでは溝両側の押し逃された表土の一部が作溝器の延長片を溝側へ乗り越えて溝に散布された肥料を浅く覆土する。軽い覆土によって肥料と植付物との直接の接触を避けることができる。
【図面の簡単な説明】
【０００９】
【図１】実施例の種芋植付機の左側面図である。
【図２】実施例の作溝器の左側面図である。
【図３】実施例の作溝器の平面図である。
【図４】実施例の植付け作業を示す平面図である。
【図５】実施例の作溝器による作溝と施肥と覆土の平面図である。
【図６】実施例の植付け作業後の畝の断面図である。
【図７】実施例の作溝器の中央縦断面図である。
【図８】実施例の作溝・施肥・軽覆土植付・覆土の行程を示す説明図である。
【発明を実施するための形態】
【００１０】
本発明では、請求項３記載のシュート構成を具備すると、供給した肥料が作溝器の排土板の先端直近位置に誘導され、落下した肥料を覆土されるまでに適度に散在させておくことができる。また、請求項４記載の高さ調整の構成を具備すると、形成しようとする溝の深さに応じて作溝器を任意の高さに調整できる。肥料供給ホースの下端は実施例のように排土板の接続管に接続するようにしてもよいし、肥料供給ホースの下端を排土板の内側空間内まで挿入するように取り付けるようにしてもよい。
【００１１】
本発明の農作業機の機体は、動力で自走できるようにしてもよいし、又は他の自走駆動機に牽引されるものであってもよい。
【００１２】
本発明は、施肥専用機であってもよいし、又は他の農作業をするための農作業機に本発明の作溝器・肥料ホッパー・肥料供給ホース・覆土板を装置して施肥作業もできるようにしてもよい。特に種芋植付機には一般に作溝用Ｖ字状排土板・種芋ホッパー・種芋の供給投下装置・覆土板が備えられているので、本発明の構造の作溝器に交換又は改修し、又肥料ホッパー・肥料供給ホースを付加すれば種芋植付とともに施肥も同時にできる農作業機にできる。
以下、本発明の実施例を図面に基づいて具体的に説明する。
【実施例】
【００１３】
本実施例は、種芋植付機に本発明を実施した例であり、対象の植付物は種芋であり、植付物貯部は種芋ホッパーであり、植付物供給投下装置は種芋を運んで、その下端で落下するようにした種芋搬送コンベヤであり、種芋植付を本来の農作業とする種芋植付機にはこれら装置及びその後方の覆土板は本来的に備えられたものであり、これに本発明の延長片・シュート及び高さ調整機能を有する特殊な作溝器と、肥料ホッパーと肥料供給ホースとを付加した例である。
【００１４】
図１は実施例の種芋植付機の左側面図、図２は実施例の作溝器の左側面図、図３は実施例の作溝器の平面図、図４は実施例の植付け作業を示す平面図、図５は実施例の作溝器による作溝と施肥と覆土の平面図、図６は実施例の植付け作業後の畝の断面図、図７は実施例の作溝器の中央縦断面図、図８は実施例の作溝等の行程説明図である。図中、１は牽引車、２は種芋植付機、３は機体、４は車輪、５は肥料ホッパー、６は肥料の供給駆動部、７は肥料供給ホース、８は作溝器、８ａ〜８ｅは作溝器８の構成部分であって、８ａは同作溝器の後部に垂直に立設した支柱であり、上部にねじ軸（図示せず）があって機体３との螺合部の位置を変えることで高さを調整できる。８ｂは前端が鋭利な平面視略Ｖ字状の排土板、８ｃは同排土板の左右後端に延長した高さが低い延長片で左右で高さと長さを異にしている。８ｄは肥料供給ホース７の下端と接続される排土板上部に斜めに取り付けられた接続管、８ｅは排土板８ｂの底部に前方に傾くように設けたシュートである。９は種芋ホッパー、１０は種芋搬送コンベヤ、１１は覆土板、１２は均し体、１３は畑、１３ａは畝、１３ｂは溝、１３ｃは軽い覆土、１３ｄは覆土、Ａは肥料、Ｈは作業者、Ｐは種芋である。
【００１５】
本実施例の使い方と動作を説明する。
肥料ホッパー５の肥料Ａは供給駆動部６で送り出され、肥料供給ホース７を通じて作溝器８へ供給される。供給駆動部６は、その回転軸と種芋搬送コンベヤ１０の回転軸にギヤを設けてチェーン（図示せず）を掛架し、種芋搬送コンベヤ１０が作動すると肥料Ａが供給され、種芋搬送コンベヤ１０が停止すると肥料Ａの供給も停止される構造となっている。種芋搬送コンベヤ１０は、その回転軸と車輪４の軸にギヤを設けてチェーン（図示せず）を掛架し、車輪４が回転すると種芋搬送コンベヤ１０が作動し、車輪４が停止すると種芋搬送コンベヤ１０も停止する構造となっている。
【００１６】
作溝器８は、図２，３，７に示すように、機体３の前端部に高さ調整可能に固定される支柱８ａと、曲折部分が先端を向くように略Ｖ字状に形成した排土板８ｂと、排土板８ｂの後端に延設された排土板８ｂより高さの低い延長片８ｃと、排土板８ｂの左上面から排土板８ｂの内側に連通する接続管８ｄと、接続管８ｄの直下に取り付けたシュート８ｅとで構成され、接続管８ｄの上端口に肥料供給ホース７の下端が接続されている。寸法は支柱８ａの上端から排土板８ｂの下端までが約５０ｃｍ、排土板８ｂの最大幅が約１２ｃｍである。
【００１７】
本実施例では、形成しようとする溝１３ｂの深さに応じて作溝器８の高さを調整し、図４に示すように牽引車１で種芋植付機２を牽引すると、肥料の供給駆動部６と種芋搬送コンベヤ１０が連動する。図５，７，８に示すように、作溝器８の排土板８ｂが畑の表土を左右へ押しのけながら約１２ｃｍ幅の溝１３ｂを形成していく。続いて、肥料ホッパー６の肥料Ａが肥料供給ホース７で接続管８ｄへ供給され、接続管８ｄからシュート８ｅ上面に落下し、シュート８ｅに沿って排土板の内側空間の先端の方向に流れ、その先端の開口から溝１３ｂへ散布されていく。その後、押しのけられた畑土が作溝器８の延長片８ｃでさらに押しのけられようとするが、延長片８ｃは背が低いから畑土の一部がこれを乗り越えて溝１３ｂ側へ入り込み、溝１３ｂに散布された肥料Ａを軽覆土１３ｃで浅く覆土する（図５及び図８の（ｂ），（ｃ），（ｄ）参照。）
【００１８】
そして、種芋ホッパー９の種芋Ｐが種芋搬送コンベヤ１０で１個つづ上方へ持ち上げられ、斜め下方へ搬送されて下端から１個つづ軽覆土１３ｃの上へ投下されていく。その後、覆土板１１が左右の畑土を内側へ寄せて種芋Ｐを覆土する（覆土１３ｄ）とともに溝１３ｂを埋め戻し、その覆土１３ｄを均し体１２が回転しながら均して畝１３ａに成形していく。以上のようにして、作溝と施肥と軽覆土が作溝器８によって行われ、図５，６，８に示すように肥料Ａが深層の局所に施肥され、その上層に種芋Ｐが植え付けられる。従って、種芋Ｐの下に軽覆土１３ｃがあり、その下に肥料Ａが散布されることとなる。
【００１９】
このように、本実施例では、約１２ｃｍの幅に肥料が散布され、その上に軽覆土１３ｃがあって、その上に種芋Ｐが植え付けられて大きく覆土１３ｄされる。
【産業上の利用可能性】
【００２０】
本発明の施肥できる農作業機は、馬鈴薯や里芋等の種芋の植付け作業に利用される。又、所定深さに施肥するだけの作業にも使える。
【符号の説明】
【００２１】
１  牽引車
２  種芋植付機
３  機体
４  車輪
５  肥料ホッパー
６  供給駆動部
７  肥料供給ホース
８  作溝器
８ａ  支柱
８ｂ  排土板
８ｃ  延長片
８ｄ  接続管
８ｅ  シュート
９  種芋ホッパー
１０  種芋搬送コンベヤ
１１  覆土板
１２  均し体
１３  畑
１３ａ  畝
１３ｂ  溝
１３ｃ，１３ｄ  覆土
Ａ  肥料
Ｈ  作業者
Ｐ  種芋
【図１】
2010213584.tif 000003
【図２】
2010213584.tif 000004
【図３】
2010213584.tif 000005
【図４】
2010213584.tif 000006
【図５】
2010213584.tif 000007
【図６】
2010213584.tif 000008
【図７】
2010213584.tif 000009
【図８】
2010213584.tif 000010